(57)【要約】【課題】省電力化を確保しつつ、１日１回は時刻データを確実に受信して時刻を補正できるようにした電波時計の提供。【解決手段】まず、受信回路により１時間毎に１週間にわたって、時刻データを受信してその受信の可否に基づいて各時刻における受信確率を求め、この求めた受信確率に基づき受信確率の高いｎ個の時刻をあらかじめ選択しておく（Ｓ１〜Ｓ６）。次に、その選択されたｎ個の時刻のうち、時刻の早い順に、受信回路により時刻データを受信していき、時刻データの受信の有無を判定する（Ｓ７〜Ｓ９）。そして、時刻データを受信したと判定した場合には、その受信した時刻データに基づき、電波時計の時刻データを補正する（Ｓ１１）。【選択図】  図２
2006145422.tif 000002
【特許請求の範囲】
【請求項１】
時刻データを生成する計時手段と、
送信されてくる時刻データを受信する受信手段と、
前記受信手段により所定の時刻毎に所定の日数にわたって、前記時刻データを受信してその受信の有無に基づいて各時刻における受信確率を求め、この求めた受信確率に基づいて受信確率の高いｎ個の時刻をあらかじめ選択しておく受信時刻選択手段と、
前記受信時刻選択手段で選択されたｎ個の時刻のうち、時刻の早い順に、前記受信手段により前記時刻データを受信していき、前記時刻データの受信の有無を判定する受信判定手段と、
前記受信判定手段が前記時刻データを受信したと判定した場合には、その受信した時刻データに基づき、前記計時手段が生成する時刻データを補正する補正手段と、
を備えていることを特徴とする電波時計。
【請求項２】
前記受信判定手段が、前記受信時刻選択手段で選択されたｎ個の時刻の全てについて時刻データを受信できないと判定した場合には、前記受信時刻選択手段は前記の処理を再び行うようになっていることを特徴とする請求項１に記載の電波時計。
【請求項３】
前記受信時刻選択手段は、前記受信手段により１時間毎に１週間にわたって、前記時刻データを受信してその受信の有無に基づいて各時刻における受信確率を求め、この求めた受信確率に基づいて受信確率の高いｎ個の時刻をあらかじめ選択しておくことを特徴とする請求項１または請求項２に記載の電波時計。
【発明の詳細な説明】
【技術分野】
【０００１】
本発明は、時刻データを含む標準電波を受信し、その受信した時刻データにより時刻を補正できる電波時計に関するものである。
【背景技術】
【０００２】
この種の電波時計では、標準電波の受信処理のタイミングは、１時間おきの受信、または１日１回の受信など、固定された時刻に行うようにしている（例えば、特許文献１参照）。
電波時計は、受信処理の際に電力を最も必要とするため、１時間おきに受信していては消費電力が嵩み、省電力化する必要がある。
【０００３】
また、１日１回の受信処理の場合には、受信エラーが起きた場合には時刻を補正できないという不具合がある。
【特許文献１】特開２００２−９８７８１号公報
【発明の開示】
【発明が解決しようとする課題】
【０００４】
本発明の目的は、上記の点に鑑み、省電力化を確保しつつ、１日１回は時刻データを確実に受信して時刻を補正できるようにした電波時計を提供することにある。
【課題を解決するための手段】
【０００５】
上記の課題を解決し本発明の目的を達成するために、各発明は、以下のような構成からなる。
すなわち、第１の発明は、時刻データを生成する計時手段と、送信されてくる時刻データを受信する受信手段と、前記受信手段により所定の時刻毎に所定の日数にわたって、前記時刻データを受信してその受信の有無に基づいて各時刻における受信確率を求め、この求めた受信確率に基づいて受信確率の高いｎ個の時刻をあらかじめ選択しておく受信時刻選択手段と、前記受信時刻選択手段で選択されたｎ個の時刻のうち、時刻の早い順に、前記受信手段により前記時刻データを受信していき、前記時刻データの受信の有無を判定する受信判定手段と、前記受信判定手段が前記時刻データを受信したと判定した場合には、その受信した時刻データに基づき、前記計時手段が生成する時刻データを補正する補正手段と、を備えている。
【０００６】
第２の発明は、第１の発明において、前記受信判定手段が、前記受信時刻選択手段で選択されたｎ個の時刻の全てについて時刻データを受信できないと判定した場合には、前記受信時刻選択手段は前記の処理を再び行うようになっている。
第３の発明は、第１または第２の発明において、前記受信時刻選択手段は、前記受信手段により１時間毎に１週間にわたって、前記時刻データを受信してその受信の有無に基づいて各時刻における受信確率を求め、この求めた受信確率に基づいて受信確率の高いｎ個の時刻をあらかじめ選択しておくようになっている。
【０００７】
このような構成からなる本発明によれば、省電力化を確保しつつ、１日１回は時刻データを確実に受信して時刻を補正できる。
【発明を実施するための最良の形態】
【０００８】
以下、本発明の実施形態について、図面を参照して説明する。
本発明の電波時計の構成について、図１のブロック図を参照して説明する。
この実施形態に係る電波時計は、図１に示すようにバス１を有し、このバス１にはＣＰＵ２と、ＲＡＭ３と、ＲＯＭ４と、計時計数回路５と、受信回路６と、表示駆動回路７と、モータ駆動回路８とがそれぞれ接続されている。
【０００９】
ＣＰＵ２は、後述のように各部を制御するとともに、図２に示すような判断や処理を行うようになっている。ＲＡＭ３は、ＣＰＵ２が後述の判断や処理を行う際のワーク用などに使用される読み書き自在なメモリである。ＲＯＭ４は、ＣＰＵ２が各部を制御するプログラム、およびＣＰＵ２が後述の判断や処理を行うプログラム（手順）が予め格納される読み出し専用のメモリである。
【００１０】
計時計数回路５は、発振回路９からの信号を計数して現在の時刻データ（年、月、日、時、分、秒のデータ）を生成して記憶するものである。計時計数回路５に記憶する現在の時刻データは、ＣＰＵ２からの時刻データに基づいて補正（修正）できるようになっている。
受信回路６には、アンテナ１０が接続されており、アンテナ１０は送信されてくる時刻データ（タイムコード）を含む標準電波を受けて、これに対応する電気信号を受信回路６に送出するものである。
【００１１】
受信回路６は、ＣＰＵ２からの指示に従って動作し、アンテナ１０からの電気信号から特定の周波数のものを選択し、この選択した特定周波数の信号中から時刻データを抽出（解読）し、この抽出した時刻データをバス１を介してＣＰＵ２に送出するものである。
表示駆動回路７は、時刻を表示するＬＣＤパネルなどの表示部１１を駆動するものであり、ＣＰＵ２により制御されるようになっている。表示部１１は、計時計数回路５に記憶される時刻データが表示されるようになっている。
【００１２】
モータ駆動回路８は、文字盤の針（図示せず）を回転させるためのモータ１２を駆動するものであり、ＣＰＵ２により制御されるようになっている。文字盤の針は、計時計数回路５に記憶される時刻データを正確に表示できるようになっている。
次に、このような構成からなる実施形態の動作例について、図２のフローチャートを参照して説明する。
【００１３】
この実施形態では、電波時計のユーザ（使用者）が、所定時間ごとに所定日数の期間、時刻データを受信し、この受信の有無に基づいて、時刻データの受信確率の高いｎ個の受信時刻を予め求めておく必要があるので、この手順について説明する。
まず、受信回路６は、ＣＰＵ２からの指示に基づき、１時間おきに時刻データの受信を行う（ステップＳ１）。ＣＰＵ２は、受信回路６の受信動作により、時刻データの受信の可否をＲＡＭ３に格納しておく（ステップＳ２）。
【００１４】
次に、ステップＳ３では、所定日数の１週間が経過したか否かが判定され、１週間を経過するまでステップＳ１、Ｓ２の処理を繰り返すので、これにより１時間おきに得られる時刻データの受信可否に係るデータが蓄積されていく（ステップＳ４）。
そして、１週間を経過すると（ステップＳ３：ＹＥＳ）、次のステップＳ５に進むが、このとき、ＲＡＭ３には、１時間おきに得られた時刻データの受信可否の集計データが１週間分蓄積されることになる。その集計データの一例を示すと、図３に示すようになる。なお、図３において、丸印はその時刻に時刻データが受信できたことを示す。
【００１５】
そこで、ステップＳ５では、その集計したデータに基づき、各時刻における時刻データの受信確率を求め、この求めた時刻データの受信確率の高い時刻から上位ｎ個の時刻を選択する。このとき、確率が同じ時刻が複数ある場合には、最も早い時刻を選択する。
次のステップＳ６では、選択したｎ個の時刻のうち、早い時刻の順に「受信時刻１」、「受信時刻２」・・・「受信時刻ｎ」とする。
【００１６】
このようなステップＳ１〜Ｓ６の各処理により、時刻データの受信確率の高いｎ個の「受信時刻１」〜「受信時刻ｎ」を予め取得でき、これを用いて、この実施形態では、時刻データの受信と時刻の補正を以下の手順で行う。
まず、ＣＰＵ２は、１日のうちで最も早い「受信時刻１」になると、受信回路６に受信動作を指示するので、受信回路６は時刻データの受信を行う。この受信により、時刻データが受信されたか否かが判定され（ステップＳ７）、受信された場合にはステップＳ１１に進み、受信されない場合にはステップＳ８に進む。
【００１７】
ステップＳ１１では、その受信された時刻データに基づいて、計時計数回路５の時刻データが補正される。ステップＳ８では、次の「受信時刻２」に受信回路６で時刻データが受信されたか否かが判定され、受信された場合にはステップＳ１１に進んで時刻データが補正される。ステップＳ８において、「受信時刻２」において時刻データが受信できなかった場合には、時刻データが受信できるまで受信動作を行う。
【００１８】
そして、「受信時刻１」〜「受信時刻ｎ」のうちのいずれの受信時刻でも受信回路６が時刻データを受信できなかった場合には、ステップＳ１０に進む。
ステップＳ１０では、連続してｄ日間受信エラーが発生しているか否かが判定される。ステップＳ１０において、否定判定の場合には、ステップＳ７に戻る。一方、ステップＳ１０において、肯定判定の場合には、ステップＳ１〜ステップＳ６の各処理により新たな「受信時刻１」〜「受信時刻ｎ」を取得するためにステップＳ１に戻る。
【００１９】
以上説明したように、この実施形態によれば、省電力化を確保しつつ、１日１回は時刻データを確実に受信して時刻を修正できる。
なお、上記の実施形態では、時刻データの受信確率の高いｎ個の「受信時刻１」〜「受信時刻ｎ」を予め取得するために、１時間おきに１週間にわたって時刻データを受信するようにした。しかし、例えば、時刻データを受信する間隔を３０分おきにして短くするとともに、その受信期間を２週間にして長くするようにしても良い。
【図面の簡単な説明】
【００２０】
【図１】本発明の実施形態の構成を示すブロック図である。
【図２】実施形態の動作例を示すフローチャートである。
【図３】１時間ごとの受信データの可否の集計例を示す図である。
【符号の説明】
【００２１】
１・・・バス、２・・・ＣＰＵ、３・・・ＲＡＭ、４・・・ＲＯＭ、５・・・計時計数回路、６・・・受信回路、７・・・表示駆動回路、８・・・モータ駆動回路
【図１】
2006145422.tif 000003
【図２】
2006145422.tif 000004
【図３】
2006145422.tif 000005